(57)【要約】【課題】より簡易な構成で確実に固定することができる果実養生用包被体を提供する。【解決手段】摘果前の果実Ｆに包被され養生するためのシート状物の成形体よりなり、果実Ｆを包被する略半割り形状の果実収納部２１，３１とその開口縁部２２，３２に形成された合接鍔部２３，３３とをそれぞれ有する２つの包被半体部２０，３０からなり、前記合接鍔部２３，３３には前記２つの包被半体部２０，３０を合接又は分離するためのヒンジ部４０と果実Ｆの軸部Ｆ１を挿通するための軸通部４５が形成されているとともに、前記合接鍔部２３，３３の合接時の対応部分にはそれぞれ折曲片５０，５５のための切込部５１，５６が形成されていて、両折曲片５０，５５を折曲げることによって両包被半体部２０，３０を互いに合着できるようにしたことを特徴とする。【選択図】図１
2008306961.tif 000002
【特許請求の範囲】
【請求項１】
摘果前の果実に包被され養生するためのシート状物の成形体よりなり、
果実を包被する略半割り形状の果実収納部とその開口縁部に形成された合接鍔部とをそれぞれ有する２つの包被半体部からなり、前記合接鍔部には前記２つの包被半体部を合接又は分離するためのヒンジ部と果実の軸部を挿通するための軸通部が形成されているとともに、前記合接鍔部の合接時の対応部分にはそれぞれ折曲片のための切込部が形成されていて、両折曲片を折曲げることによって両包被半体部を互いに合着できるようにしたことを特徴とする果実養生用包被体。
【請求項２】
前記折曲片のうち一側の合接鍔部の折曲片が、外側に広くなるテーパ形状折曲部である請求項１に記載の果実養生用包被体。
【請求項３】
前記包被半体部は合着によって球状となり果実全体を包被するものである請求項１又は２に記載の果実養生用包被体。
【請求項４】
前記ヒンジ部が前記軸通部の反対側に形成された請求項１ないし３のいずれか１項に記載の果実養生用包被体。
【請求項５】
前記成形体が通気性を有する請求項１ないし４のいずれか１項に記載の果実養生用包被体。
【請求項６】
前記成形体が透光性を有する請求項１ないし５のいずれか１項に記載の果実養生用包被体。
【発明の詳細な説明】
【技術分野】
【０００１】
本発明は、摘果前の果実に包被され養生するための果実養生用包被体に関する。
【背景技術】
【０００２】
一般に、ブドウや桃等の果実は、摘果前に虫害や鳥害等で表面に傷が付いたり、過剰な直射日光によって日焼けする等を防止するために、シート状の包被体で全体を包被して養生される。このような摘果前の果実を包被する果実養生用包被体としては、通常、一端が開口した袋状の包被体が用いられる（例えば、特許文献１参照。）。
【０００３】
ところで、従来の果実養生用包被体では、果実を包被した状態で固定する場合、袋の開口部が果実の軸（枝）部側となるようにして包被し、開口部を軸部の周りでしぼめて針金や開口部に一体に設けられた止金等を前記軸部に巻き付けて固定するように構成される。しかしながら、従来の果実養生用包被体のように、針金や止金等を巻き付けて固定する方法では、針金等を別途用意したり、開口部に止金等を一体に設ける必要がある等、構成が煩雑となることに加え、時間が経つにつれて針金や止金等の巻き付けが緩んで前記包被体を十分に固定することが困難であった。
【特許文献１】特開２００６−２６２８８３号公報
【発明の開示】
【発明が解決しようとする課題】
【０００４】
本発明は前記の点に鑑みなされたものであり、より簡易な構成で確実に固定することができる果実養生用包被体を提供するものである。
【課題を解決するための手段】
【０００５】
すなわち、請求項１の発明は、摘果前の果実に包被され養生するためのシート状物の成形体よりなり、果実を包被する略半割り形状の果実収納部とその開口縁部に形成された合接鍔部とをそれぞれ有する２つの包被半体部からなり、前記合接鍔部には前記２つの包被半体部を合接又は分離するためのヒンジ部と果実の軸部を挿通するための軸通部が形成されているとともに、前記合接鍔部の合接時の対応部分にはそれぞれ折曲片のための切込部が形成されていて、両折曲片を折曲げることによって両包被半体部を互いに合着できるようにしたことを特徴とする果実養生用包被体に係る。
【０００６】
請求項２の発明は、前記折曲片のうち一側の合接鍔部の折曲片が、外側に広くなるテーパ形状折曲部である請求項１に記載の果実養生用包被体に係る。
【０００７】
請求項３の発明は、前記包被半体部は合着によって球状となり果実全体を包被するものである請求項１又は２に記載の果実養生用包被体に係る。
【０００８】
請求項４の発明は、前記ヒンジ部が前記軸通部の反対側に形成された請求項１ないし３のいずれか１項に記載の果実養生用包被体に係る。
【０００９】
請求項５の発明は、前記成形体が通気性を有する請求項１ないし４のいずれか１項に記載の果実養生用包被体に係る。
【００１０】
請求項６の発明は、前記成形体が透光性を有する請求項１ないし５のいずれか１項に記載の果実養生用包被体に係る。
【発明の効果】
【００１１】
請求項１の発明に係る果実養生用包被体は、摘果前の果実に包被され養生するためのシート状物の成形体よりなり、果実を包被する略半割り形状の果実収納部とその開口縁部に形成された合接鍔部とをそれぞれ有する２つの包被半体部からなり、前記合接鍔部には前記２つの包被半体部を合接又は分離するためのヒンジ部と果実の軸部を挿通するための軸通部が形成されているとともに、前記合接鍔部の合接時の対応部分にはそれぞれ折曲片のための切込部が形成されていて、両折曲片を折曲げることによって両包被半体部を互いに合着できるようにしたため、従来の包被体のように針金や止金等の部材を用いることなく当該果実養生用包被体を摘果前の果実に簡易かつ確実に固定することができる。
【００１２】
請求項２の発明は、請求項１において、前記折曲片のうち一側の合接鍔部の折曲片が、外側に広くなるテーパ形状折曲部であるため、両包被半体部の合着をより簡易に行うことができる。
【００１３】
請求項３の発明は、請求項１又は２において、前記包被半体部は合着によって球状となり果実全体を包被するものであるため、果実の保護が容易となる。
【００１４】
請求項４の発明は、請求項１ないし３において、前記ヒンジ部が前記軸通部の反対側に形成されたため、果実を包被する作業を簡易に行うことができる。
【００１５】
請求項５の発明は、請求項１ないし４において、前記成形体が通気性を有するため、周囲との温度や湿度等を適正に保持することができる。
【００１６】
請求項６の発明は、請求項１ないし５において、前記成形体が透光性を有するため、果実を包被した場合でも前記果実の色付きが可能となる。
【発明を実施するための最良の形態】
【００１７】
以下添付の図面に従ってこの発明を詳細に説明する。
図１は本発明の一実施例に係る果実養生用包被体の開放状態の斜視図、図２は同果実養生用包被体の開放状態の平面図、図３は同果実養生用包被体の開放状態の側面図、図４は同果実養生用包被体の合着状態の側面図、図５は同果実養生用包被体の開放状態の断面図、図６は同果実養生用包被体の合着状態の断面図、図７は同果実養生用包被体の折曲片の斜視図である。
【００１８】
図１〜図６に示す本発明の一実施例に係る果実養生用包被体１０は、摘果前の果実Ｆに包被され養生するためのシート状物の成形体であって、２つの包被半体部２０，３０からなり、両包被半体部２０，３０を互いに合着させることによって果実Ｆが包被されるものである。この果実養生用包被体１０を構成するシート状物の成形体としては、摘果前の果実Ｆを虫害や鳥害等から保護することが可能な適宜の素材によって構成され、特に、前果実Ｆを包被した際に周囲との温度や湿度等を適正に保持するために通気性を有することが好ましい。また、包被した場合でも前記果実Ｆの色付きを可能とするために透光性を有することが好ましく、さらに紫外線吸収材等によって紫外線の影響を抑制することがより好ましい。実施例では、合成樹脂製や合成樹脂発泡体のシート材、不織布等の成形物によって構成され、真空成形や射出成形、プレス成形等の公知の成形方法によって成形することができる。
【００１９】
一側の包被半体部２０は、果実Ｆを包被する略半割り形状の果実収納部２１とその開口縁部２２に形成された合接鍔部２３とを有する。果実収納部２１は、果実Ｆの一部が包被可能な形状とされ、実施例では、果実Ｆの略半分を包被可能な略半球形状に形成されている。一方、合接鍔部２３は、果実収納部２１の開口縁部２２の外周側に形成された突条部２４と、該突条部２４の内周側に形成された段条部２５とを有する。
【００２０】
他側の包被半体部３０は、一側の包被半体部２０と同様に、果実Ｆを包被する略半割り形状の果実収納部３１とその開口縁部３２に形成された合接鍔部３３とを有する。果実収納部３１は、果実Ｆの一部が包被可能な形状とされ、実施例では、果実Ｆの略半分を包被可能でかつ前記果実収納部２１とほぼ対称的な略半球形状に形成されている。合接鍔部３３は、果実収納部３１の開口縁部３２の外周側に形成された前記合接鍔部２３の突条部２４と合接可能な溝条部３４と、該溝条部３４の内周側に形成された前記合接鍔部２３の段条部２５と合接可能な突条部３５とを有する。
【００２１】
また、２つの包被半体部２０，３０の合接鍔部２３，３３には、両包被半体部２０，３０を合接又は分離するためのヒンジ部４０と、果実Ｆの軸（枝）部Ｆ１を挿通するための軸通部４５が形成されている。ヒンジ部４０は、両包被半体部２０，３０を一体に連結した状態で合接又は分離可能な構成であればどの位置に形成しても構わないが、特に、図示のように、軸通部４５の反対側に形成されていることにより、両包被半体部２０，３０を合着させて果実Ｆを包被する作業を簡易に行うことが可能となる。また、軸通部４５は、図１，２，５に示すように、一側の包被半体部２０の合接鍔部２３に果実収納部２１の開口縁部２２と連通して外部に開口して形成された略半円形状の溝部４６と、他側の包被半体部３０の合接鍔部３３の突条部３５に果実収納部２１の開口縁部２２と連通して外部に開口して形成された略半円形状の溝部４７とからなり、両包被半体部２０，３０の合着時に前記溝部４６，４７によって略円筒形状の挿通孔を形成するように構成されている。
【００２２】
さらに、合接鍔部２３，３３には、図１，２，７に示すように、合接時の対応部分にそれぞれ折曲片５０，５５のための切り込み部５１，５６が形成されていて、両折曲片５０，５５を折曲げることによって両包被半体部２０，３０を互いに合着できるように構成されている。この折曲片５０（５５）は、図１，２に示すように、合接鍔部２３（３３）の端部に設けられた近接する２つの切り込み５１ａ，５１ｂ（５６ａ，５６ｂ）によって折曲げ自在に形成されるものであり、実施例では合接鍔部２３（３３）の四隅に形成される。また、特に、この折曲片５０，５５のうち、一側の合接鍔部２３の折曲片５０は、隣接する２つの切り込み５１ａ，５１ｂの果実収納部２１側端部を接近させることにより、外側に広くなるテーパ形状折曲部として形成されていて、折曲片５０の外側部分が折曲片５５の外側部分より広くなるように構成されている。なお、図１，２に示す両合接鍔部２３，３３の四隅に形成された両折曲片５０（５０Ａ，５０Ｂ，５０Ｃ，５０Ｄ），５５（５５Ａ，５５Ｂ，５５Ｃ，５５Ｄ）において、折曲片５０Ａと折曲片５５Ａ、折曲片５０Ｂと折曲片５５Ｂ、折曲片５０Ｃと折曲片５５Ｃ、折曲片５０Ｄと折曲片５５Ｄがそれぞれ対応して合着される。
【００２３】
上記の如く構成された果実養生用包被体１０では、まず、図３，５に示すように、摘果前の果実Ｆの略半分が一側の包被半体部２０の果実収納部２１によって包被されるように配置される。その際、前記果実Ｆの軸部Ｆ１が一側の包被半体部２０の軸通部４５の溝部４６内に収納される。
【００２４】
次いで、ヒンジ部４０を介して他側の包被半体部３０を一側の包被半体部２０側に折り曲げ、図４，６に示すように、合接鍔部３３の溝条部３４に一側の包被半体部２０の合接鍔部２３の突条部２４を合接させるとともに、突条部３５を一側の包被半体部２０の合接鍔部２３の段条部に合接させて、他側の包被半体部３０の果実収納部３１によって前記果実Ｆの前記果実収納部２１に包被されていない側の略半分が包被される。
【００２５】
また、上のように両包被半体部２０，３０の合接鍔部２３，３３を合接する際には、それぞれ四隅に形成された折曲片５０，５５を折曲げることによって前記両包被半体部２０，３０の合着が行われる。その際、折曲片５０，５５は、例えば、図７（ａ）に示すように、合接鍔部２３の折曲片５０Ａを他側の包被半体部３０側に折り曲げるとともに、合接鍔部３３の折曲片５５Ａを前記折曲片５０Ａと同一方向に折り曲げ、図７（ｂ）に示すように、折曲片５０Ａを合接鍔部３３と折り曲げられた折曲片５５Ａとの間に挿入することによって、図７（ｃ）に示すように、折曲片５５Ａより幅広の折曲片５０Ａが合接鍔部３３と前記折曲片５５Ａに狭持され、両合接鍔部２３，３３の対応部分が合接した状態で固定される。そして、図示しないが、折曲片５０Ｂと折曲片５５Ｂ，折曲片５０Ｃと折曲片５５Ｃ，折曲片５０Ｄと折曲片５５Ｄとにおいても同様に構成されることにより、両合接鍔部２３，３３の四隅が合接した状態で固定され、両包被半体部２０，３０が合着されて球状となり、果実Ｆ全体が包被される。
【００２６】
以上説明したように、当該果実養生用包被体１０にあっては、果実収納部２１，３１と合接鍔部２３，３３とをそれぞれ有する２つの包被半体部２０，３０からなり、合接鍔部２３，３３には２つの包被半体部２０，３０を合接又は分離するためのヒンジ部４０と果実Ｆの軸部Ｆ１を挿通するための軸通部４５が形成されているため、摘果前の果実Ｆを容易に包被することができる。特に、合接鍔部２３，３３の合接時の対応部分にはそれぞれ折曲片５０，５５のための切込部５１，５６が形成されていて、両折曲片５０，５５を折曲げることによって両包被半体部２０，３０を互いに合着できるようにしたため、従来の包被体のように針金や止金等の部材を用いることなく当該果実養生用包被体１０を摘果前の果実Ｆに簡易かつ確実に固定することができる。
【００２７】
また、包被半体部２０，３０が合着によって球状となり果実Ｆ全体を包被することにより、摘果前の果実Ｆの全体を容易に保護することができ、加えて、果実Ｆが落果した際に地面に落ちることを防止することができる。
【００２８】
なお、本発明の果実養生用包被体は、上記実施例で述べた構成に限るものではなく、発明の趣旨を逸脱しない範囲内において種々の変更を付加して実施することができる。
【図面の簡単な説明】
【００２９】
【図１】本発明の一実施例に係る果実養生用包被体の開放状態の斜視図である。
【図２】同果実養生用包被体の開放状態の平面図である。
【図３】同果実養生用包被体の開放状態の側面図である。
【図４】同果実養生用包被体の合着状態の側面図である。
【図５】同果実養生用包被体の開放状態の断面図である。
【図６】同果実養生用包被体の合着状態の断面図である。
【図７】同果実養生用包被体の折曲片の斜視図である。
【符号の説明】
【００３０】
１０  果実養生用包被体
２０  包被半体部
２１  果実収納部
２３  合接鍔部
３０  包被半体部
３１  果実収納部
３３  合接鍔部
４０  ヒンジ部
４５  軸通部
５０  折曲片
５１  切り込み部
５５  折曲片
５６  切り込み部
Ｆ    摘果前の果実
【図１】
2008306961.tif 000003
【図２】
2008306961.tif 000004
【図３】
2008306961.tif 000005
【図４】
2008306961.tif 000006
【図５】
2008306961.tif 000007
【図６】
2008306961.tif 000008
【図７】
2008306961.tif 000009